(57)【要約】      （修正有）【課題】インナー容器を寸胴型ではなく、重ね合わせて保管し運搬することができる形状にすると共に、使用時に内部が負圧になっても変形したりすることがない新たなドラム缶インナー容器を提供する。【解決手段】ドラム缶に収納するインナー容器１において、底部1a側の外径を上部開口1b側の外径より小径に形成し、外周壁1cを上部開口1b側から底部1a側に向けてテーパ状に形成すると共に、開口部1bに蓋２を着脱可能に装着した。【選択図】図１
0003106366.tif 000002
【実用新案登録請求の範囲】
【請求項１】
ドラム缶に収納するインナー容器において、底部側の外径を上部開口側の外径より小径に形成し、外周壁を上部開口側から底部側に向けてテーパ状に形成すると共に、開口部に蓋を着脱可能に装着したことを特徴とするドラム缶インナー容器。
【請求項２】
インナー容器の上部外周に、ドラム缶の内周壁との間に間隙を保持するスペーサを備えた請求項１のドラム缶インナー容器。
【請求項３】
蓋は、インナー容器の開口部に螺合させて装着する請求項１又は２のドラム缶インナー容器。
【請求項４】
蓋は、インナー容器の開口部にクランプ状の締付具により装着する請求項１又は２のドラム缶インナー容器。
【請求項５】
蓋には、インナー容器内への外気の流入のみを許容する逆止弁が設けられている請求項１〜４のいずれかのドラム缶インナー容器。
【請求項６】
蓋は、外周縁に沿って下向き凹状の枠部を有すると共に、該枠部に囲まれた内側に補強用のリブを有する請求項１〜５のいずれかのドラム缶インナー容器。
【請求項７】
補強用リブには、引掛け用の係合穴が設けられている請求項６のドラム缶インナー容器。
【請求項８】
蓋には、内周縁に沿ってインナー容器の開口側上端に密着するリング状のパッキンが設けられている請求項１〜７のいずれかのドラム缶インナー容器。
【考案の詳細な説明】
【技術分野】
【０００１】
本考案は、廃棄物や化学薬品などをドラム缶に収納して保管或は処分するとき、これら廃棄物等がドラム缶の内壁に直接接触しないようにするためのインナー容器に関する。
【背景技術】
【０００２】
従来からドラム缶は様々な用途に使用されているが、収納する内容物によっては、ドラム缶を腐蝕したり、変形させたりする場合があり、内容物が漏出してしまうという事故も懸念される。また、一つのドラム缶を収容する内容物を代えて繰返し使用する場合があるが、前に収納した内容物の一部がドラム缶の内壁に付着して残っていたりすると、後に収納する内容物との間で予期せぬ化学反応や異物の混入が生じることもある。
【０００３】
そこで、収納する内容物がドラム缶の内壁に直接接触しないように、内容物をドラム缶に収納し得る大きさのインナー容器に入れてこの容器ごと収納することが行われている。
【０００４】
上記のインナー容器は、通常、上，下の外径が等しい寸胴状のドラム缶の内部に収納されるため、ドラム缶と同様に上，下の外径が等しい寸胴型のものが使用されていた。しかしながら、このインナー容器はドラム缶に収納する前に当該インナー容器の複数個を運搬するとき、すべて同じ上，下外径の寸胴型であるため、重ね合わせることができず、場所を取るという問題があった。
【０００５】
また、従来のインナー容器は完全密閉構造であるため、例えば、高温の廃棄物を収納した後に密封すると、収納物が冷えると容器内が負圧になって容器が内側にへこんで変形してしまい、再使用ができないとか、破損してしまうという問題があった。
【考案の開示】
【考案が解決しようとする課題】
【０００６】
本考案は、従来のドラム缶用のインナー容器は、上，下の外径が等しいため重ね合わせて保管，運搬することができないとか、負圧により内側に変形し易いという問題があったことに鑑み、インナー容器を、重ね合わせて保管したり運搬することができる形状にすると共に、使用時に内部が負圧になっても変形したりすることのない新たなドラム缶インナー容器を提供することを、その課題とするものである。
【課題を解決するための手段】
【０００７】
上記課題を解決することを目的としてなされた本考案の構成は、ドラム缶に収納するインナー容器において、底部側の外径を上部開口側の外径より小径に形成し、外周壁を上部開口側から底部側に向けてテーパ状に形成すると共に、開口部に蓋を着脱可能に装着したことを特徴とするものである。
【０００８】
本考案は、上記構成において、インナー容器の上部外周に、ドラム缶の内周壁との間に間隙を保持するスペーサを備えた構成にすることができる。また、蓋は、インナー容器の開口部に螺合させて又はクランプ状の締付具により装着する構成にすることができる。更に、蓋には、インナー容器内への外気の流入のみを許容する逆止弁を設けるのが望ましい。また、蓋は、外周縁に沿って下向き凹状の枠部を有すると共に、該枠部に囲まれた内側に補強用のリブを有する構成にすることができ、その場合、補強用リブには、引掛け用の係合穴を設けるのが好ましい。更には、蓋には、内周縁に沿ってインナー容器の開口側上端に密着するリング状のパッキンを設ける構成にする望ましい。
【考案の効果】
【０００９】
本考案のドラム缶インナー容器は、底部側が上部より小径のテーパ状外周壁を備えているから、当該容器同士の複数個を重ね合わすことができ、従って、未使用時の保管や運搬の際に場所を取ることなく、省スペース化に寄与できるという効果が得られる。
【００１０】
また、本考案のドラム缶インナー容器はその蓋に外気の流入のみを許容する逆止弁を設けると、例えば、高温の廃棄物を収納したとき、それが冷えて容器内が負圧になったときでも、容器が内側に凹んで変形してしまうこともない。このことはまた、例えば低レベル放射性廃棄物を収納したときでも、容器内の有害なダストやガスが大気中に放出されることがないという効果を奏することにもなる。
【００１１】
更に、本考案のドラム缶インナー容器は、蓋部材の補強用リブに引掛け用の係合穴を設けた場合は、蓋を装着した状態でクレーンなどにより吊下げ又は吊上げることができるので、取扱いが容易になるという効果が得られる。
【考案を実施するための最良の形態】
【００１２】
本考案の実施の形態例について図により説明する。図１は本考案インナー容器の一例の右半を断面にした正面図、図２は図１のインナー容器の蓋の平面図、図３は図２蓋の左半を断面にした正面図、図４は本考案インナー容器の別例の部分拡大斜視図である。
【実施例１】
【００１３】
図１〜図３において、1は、インナー容器の容器本体、２は、インナー容器の蓋である。容器本体１は、底部1aの外径を上部開口1bの外径より小径に形成し、外周壁1cを上部開口1bから底部1aに向けて先細りのテーパ状に形成してある。具体的には、一例として、容器本体１の高さが795mmの場合、底部1b側の外周壁1cの厚みを含んだ外径を485mm、上部開口1b側の外径を525mmのように形成することができる。
【００１４】
3aは、容器本体１の上部外周面に形成した螺子の歯、3bは、蓋２の内周面に形成した螺子の歯で、これらの歯3a，3bが螺合することにより蓋２は容器本体１の上部に着脱可能に装着される。Ｐは、蓋２の内周縁に沿って設けられているリング状のパッキンで、蓋２が装着されたとき容器本体１の開口部外周がパッキンＰに圧接するので、容器内の密封度を高めることができる。４は、インナー容器の容器本体１の上部側の外周に設けたスペーサで、容器本体１をドラム缶に入れたとき、内部で片寄ることなくドラム缶の内壁面に対し一定の間隔を保持する役割をする。
【００１５】
図２は、蓋２の一例を示し、ここでは円板状の底部2cの外周縁に沿って下向き凹状の外枠部2aとこの外枠部2aに囲まれた内側に十字状の補強用リブ2bを有する構成のものである。５は、底部2cに設けた逆止弁で、容器内が負圧になったとき、外気の容器内への流入を許容するが容器内からガスやダストが流出しないようにするためのものである。なお、蓋２の形状や逆止弁５の取付け位置は、適宜変更することができる。
【００１６】
６は、蓋２の補強用リブ2bに設けた係合穴で、クレーンなどで蓋２又は蓋２を装着したインナー容器を吊上げ又は吊下げるための引掛け用の穴である。従来はインナー容器にこのような係合穴が設けられていなかったため、ドラム缶にインナー容器を入れたり、また取出したりするときの作業効率が悪く、最悪の場合、ドラム缶を逆さにしてドラム缶の方を持ち上げなければインナー容器が取出せないということがあった。これに対し、本考案では上記のように係合穴６を設けたので、このような問題が生じることはない。なお、係合穴６のほか、例えば、蓋２の底部2cにリング状の引掛け輪を起伏可能に設けてもよい。
【実施例２】
【００１７】
次に、図４により、本考案インナー容器の別例について説明する。図４において、11は容器本体、12はこの容器本体11の上部に外嵌させた蓋である。容器本体11は、図１〜図３に示したインナー容器の容器本体１と同様に、底部側の外径を上部開口11b側の外径より小径に形成し、外周壁11cを上部開口11bから底部に向けて先細りのテーパ状に形成してある。
【００１８】
図４に示したインナー容器は、図１〜図３に示したインナー容器と異なり、容器本体11と蓋12をネジ込み式ではなく、断面略Ｌ字状のパッキンＰ′を介在させて密接するようにしている。なお、パッキンＰ′はリング状のもので、蓋12の内周面、又は、容器本体11の上部外周面のいずれの側に設けてもよい。また、蓋12には、図示しないが、容器内が負圧になったとき、外気の容器内への流入を許容するが容器内からのガスやダストが流出しないようにするための逆止弁が設けられている。
【００１９】
13は、蓋12を容器本体11の上部に外嵌させた後、蓋12と容器本体11を締め付けるためのクランプ状締付具で、13aはリング状の引掛部材、13bは引掛部材13aを係止するための容器本体11の外周壁11cに突設されている係止片、13cは可動レバーである。締め付けは、引掛部材13aの先端を係止片13bに引掛けた後、可動レバー13cの先端側を蓋12の上面に接するように倒せば、蓋12を確実に締め付けることができる。なお、クランプ状締付具は上記構成のものに限られることはなく、同様の機能を有するものであれば他の構成のものであってもよい。また、図示しないが、図４に示した蓋12にも、図２，図３に示したインナー容器を吊上げ又は吊下げるための引掛け用の係合穴６が設けられている。
【産業上の利用可能性】
【００２０】
本考案インナー容器は、従来の寸胴型のインナー容器と異なり、外周壁をテーパ状に形成してあるため複数個を重ね合わせることができ、未使用時の保管や運搬の際に場所を取らないので、省スペース化に寄与できる。また、蓋に外気の流入のみを許容する逆止弁を設ければ、高温の廃棄物等を収納したとき、それが冷えて容器内が負圧になっても、容器が内側に凹んで変形したりすることはないので、容器が破損して廃棄物等が流出するというおそれもない。更に、本考案インナー容器は、蓋の補強用リブに掛け用の係合穴を設けた構成にすれば、ドラム缶へ入れたり取出したりする作業を迅速に行えるので、作業効率を高めることができる。
【図面の簡単な説明】
【００２１】
【図１】本考案インナー容器の一例の右半を断面にした正面図。
【図２】図１のインナー容器の蓋の平面図。
【図３】図２蓋の左半を断面にした正面図。
【図４】本考案インナー容器の別例の部分拡大斜視図。
【符号の説明】
【００２２】
１，11    容器本体
２，12    蓋
2a        外枠部
2b        補強用リブ
3a，3b    螺子の歯
４        スペーサ
５        逆止弁
６        係合穴
13        クランプ状締付具
Ｐ，Ｐ′  リング状パッキン
【図１】
0003106366.tif 000003
【図２】
0003106366.tif 000004
【図３】
0003106366.tif 000005
【図４】
0003106366.tif 000006